(57)【要約】【課題】本発明は、電子装置からのビデオ信号を拡大して表示することができるドッキングステーションを提供することを目的とする。【解決手段】本発明のドッキングステーションは、ビデオ放送機能を有する電子装置と互いに通信することができ、電子装置が生成したビデオ信号を受信する第一通信ユニット、第一通信ユニットに電気的に接続される第一処理ユニット、及び第一処理ユニットに電気的に接続される第一入力ユニットを備え、第一入力ユニットは、ユーザーの操作指令に対応する制御信号を生成し、第一処理ユニットは、第一入力ユニットが生成した制御信号を電子装置が識別できる制御指令に変換してから第一通信ユニットによって電子装置に伝送し、第一処理ユニットは、第一通信ユニットが受信したビデオ信号を拡大して表示する。【選択図】図３
2014032664.tif 000002
【特許請求の範囲】
【請求項１】
ビデオ放送機能を有する電子装置と互いに通信することができるドッキングステーションであって、
前記電子装置が生成したビデオ信号を受信する第一通信ユニット、前記第一通信ユニットに電気的に接続される第一処理ユニット、及び前記第一処理ユニットに電気的に接続される第一入力ユニットを備え、
前記第一入力ユニットは、ユーザーの操作指令に対応する制御信号を生成し、
前記第一処理ユニットは、前記第一入力ユニットが生成した制御信号を前記電子装置が識別できる制御指令に変換してから前記第一通信ユニットによって前記電子装置に伝送し、
前記第一処理ユニットは、前記第一通信ユニットが受信したビデオ信号を拡大して表示することを特徴とするドッキングステーション。
【請求項２】
前記ドッキングステーションは、前記第一処理ユニットに電気的に接続される第一表示部をさらに備え、
前記第一処理ユニットは、前記第一通信ユニットが受信したビデオ信号を前記第一表示部によって表示し、
前記第一表示部の寸法は、前記電子装置の表示部の寸法より大きいことを特徴とする請求項１に記載のドッキングステーション。
【請求項３】
前記ドッキングステーションは、前記第一処理ユニットに電気的に接続されるプロジェクターをさらに備え、
前記プロジェクターは前記第一通信ユニットが受信したビデオ信号を映し出すことを特徴とする請求項１又は２に記載のドッキングステーション。
【請求項４】
前記ドッキングステーションは、前記第一処理ユニットに電気的に接続される選択ユニットをさらに備え、
前記選択ユニットはユーザーの操作によって選択信号を生成し、
前記第一処理ユニットは、前記選択信号によって前記第一表示部及び前記プロジェクターの中の一方を選択して前記第一通信ユニットが受信したビデオ信号を放送することを特徴とする請求項３に記載のドッキングステーション。
【請求項５】
前記ドッキングステーションは、前記第一処理ユニットに電気的に接続される検出ユニットをさらに備え、
前記検出ユニットは、前記ドッキングステーションの外部環境の人顔の数が所定値を超えるか否かを検出し、
前記ドッキングステーションの外部環境の人顔の数が所定値を超えると、前記第一処理ユニットは前記プロジェクターを選択して前記第一通信ユニットが受信したビデオ信号を放送することを特徴とする請求項３又は４に記載のドッキングステーション。
【発明の詳細な説明】
【技術分野】
【０００１】
本発明は、ドッキングステーションに関するものであり、特に電子装置接続用ドッキングステーションに関するものである。
【背景技術】
【０００２】
電子技術の発展に伴い、携帯電話のような携帯式電子装置の機能はほぼパーソナルコンピューターに匹敵するものであるが、表示部の寸法が小さいので、大きい画面で表示できず、多くの人が同時に閲覧することができない。
【発明の概要】
【発明が解決しようとする課題】
【０００３】
本発明の目的は、前記課題を解決し、電子装置からのビデオ信号を拡大して表示するドッキングステーションを提供することである。
【課題を解決するための手段】
【０００４】
本発明に係わるドッキングステーションは、ビデオ放送機能を有する電子装置と互いに通信することができ、電子装置が生成したビデオ信号を受信する第一通信ユニット、第一通信ユニットに電気的に接続される第一処理ユニット、及び第一処理ユニットに電気的に接続される第一入力ユニットを備え、第一入力ユニットは、ユーザーの操作指令に対応する制御信号を生成し、第一処理ユニットは、第一入力ユニットが生成した制御信号を電子装置が識別できる制御指令に変換してから第一通信ユニットによって電子装置に伝送し、第一処理ユニットは、第一通信ユニットが受信したビデオ信号を拡大して表示する。
【発明の効果】
【０００５】
従来の技術に比べて、本発明のドッキングステーションは、電子装置からのビデオ信号を拡大して表示するので、多くの人が表示画面を同時に閲覧することができる。
【図面の簡単な説明】
【０００６】
【図１】本発明の実施形態に係る電子設備アセンブリーを示す図である。
【図２】本発明の他の実施形態に係る電子設備アセンブリーを示す図である。
【図３】図１及び図２に示す電子設備アセンブリーの機能ブロック図である。
【発明を実施するための形態】
【０００７】
以下、図面を参照して、本発明の実施形態について説明する。
【０００８】
図１を参照すると、本発明の実施形態に係るドッキングステーション２０は、ビデオ放送機能を有する電子装置１０と互いに通信することができる。
【０００９】
図３を併せて参照すると、ドッキングステーション２０は、電子装置１０からのビデオ信号を受信し且つ受信したビデオ信号を拡大して表示する。ドッキングステーション２０は、本体２０１、第一通信ユニット２１０、第一表示部２２０、プロジェクター２３０、第一処理ユニット２４０、選択ユニット２５０及び第一入力ユニット２６０を備える。第一通信ユニット２１０、第一表示部２２０、プロジェクター２３０、選択ユニット２５０及び第一入力ユニット２６０は、全て第一処理ユニット２４０に電気的に接続される。
【００１０】
本実施形態において、本体２０１は、略矩形であり、且つその寸法は電子装置１０の寸法より大きい。本体２０１には、電子装置１０を放置するための収容部２０２が設置される。収容部２０２は、本体２０１の上表面の手前側に設置される。他の実施形態において、本体２０１の形状は矩形に制限されるものではなく、収容部２０２も本体２０１の他の位置に設置することができる。
【００１１】
本体２０１の収容部２０２の底部には、電子装置１０の充電ソケット１０１に接続されるインターフェース２０３が設置される。電子装置１０をドッキングステーション２０の収容部２０２に放置すると、本体２０１のインターフェース２０３は電子装置１０の充電ソケット１０１に挿入して、電子装置１０を充電する。図２に示したように、他の実施形態において、ドッキングステーション２０は、コイル感応式のような非接触式インターフェースによって電子装置１０に対して無線充電を行うことができる。
【００１２】
第一通信ユニット２１０は、電子装置１０と通信して、電子装置１０からのビデオ信号を受信する。第一通信ユニット２１０は、有線又は無線方式によって電子装置１０と通信することができる。本実施形態において、第一通信ユニット２１０は、Ｗｉ−Ｆｉ（登録商標）、Ｂｌｕｅｔｏｏｔｈ（登録商標）、ＧＳＭ（登録商標）、ＷＣＤＭＡ（登録商標）、ＣＤＭＡなどの無線通信技術を介して電子装置１０と通信することができる。
【００１３】
第一表示部２２０は、本体２０１の上表面に設置されて、第一通信ユニット２１０が受信したビデオ信号を表示するために用いられる。第一表示部２２０の寸法は、電子装置１０の表示部の寸法より大きい。第一入力ユニット２６０は、ユーザーの操作指令に対応する制御信号を生成する。第一入力ユニット２６０は、本体２０１に設置されるタッチパネル又はボタンであることができ、第一入力ユニット２６０の寸法は、電子装置１０の入力ユニットの寸法より大きい。本実施形態において、第一入力ユニット２６０は、第一表示部２２０に設置されるタッチパネルである。第一表示部２２０は、タッチスクリーンであり、画面を表示するとともに、ユーザーの操作指令に対応する制御信号を生成することができる。
【００１４】
プロジェクター２３０は、第一通信ユニット２１０が受信したビデオ信号を映し出すために用いられる。本実施形態において、プロジェクター２３０は、本体２０１の前端に設置される。
【００１５】
選択ユニット２５０は、ユーザーの操作指令に対応する切替信号を生成する。本実施形態において、選択ユニット２５０は、本体２０１に設置されるボタンである。
【００１６】
第一処理ユニット２４０は、選択ユニット２５０からの切替信号を受信すると、第一表示部２２０及びプロジェクター２３０の中の一方を選択して第一通信ユニット２１０が受信したビデオ信号を表示する。具体的に説明すると、選択ユニット２５０を押圧した時、第一処理ユニット２４０は第一表示部２２０を選択して第一通信ユニット２１０が受信したビデオ信号を表示し、選択ユニット２５０を再び押圧した時、第一処理ユニット２４０はプロジェクター２３０を選択して第一通信ユニット２１０が受信したビデオ信号を映し出す。このように使用者は実際の需要によって第一表示部２２０及びプロジェクター２３０の中の一方を選択して電子装置１０からのビデオ信号を表示する。第一処理ユニット２４０は、第一入力ユニット２６０が生成した制御信号を電子装置１０が識別できる制御指令に変換してから第一通信ユニット２１０によって電子装置１０に伝送して、電子装置１０に対する制御を実現する。他の実施形態において、第一処理ユニット２４０が切替信号を受信した時、第一表示部２２０及びプロジェクター２３０は、第一通信ユニット２１０が受信したビデオ信号を、同時に表示することができる。
【００１７】
ドッキングステーション２０は、第一処理ユニット２４０に電気的に接続される検出ユニット２７０をさらに備える。検出ユニット２７０は、本体２０１の前端に設置されて、ドッキングステーション２０の外部環境を検出するために用いられ、例えば、人顔が存在するか否かを検出し、人顔の数が所定値Ｔ（例えば、Ｔ＝４である）を超えると検出信号を生成する。検出ユニット２７０は、ドッキングステーション２０の周囲の外部環境の映像を撮り、且つ検出状況に基づいて検出信号を生成する。第一処理ユニット２４０は、検出ユニット２７０からの検出信号を受信すると、プロジェクター２３０を選択して第一通信ユニット２１０が受信したビデオ信号を表示する。このように検出ユニット２７０が検出した人顔の数が所定値Ｔを超えると、即ち使用者の数がＴを超えると、第一処理ユニット２４０はプロジェクター２３０を自動的に選択して第一通信ユニット２１０が受信したビデオ信号を表示して、多くの人が画面を同時に閲覧できるようにする。
【００１８】
本実施形態において、電子装置１０は携帯式通信装置である。電子装置１０は、第二表示部１１０、記憶ユニット１２０、第二通信ユニット１３０、第二入力ユニット１４０及び第二処理ユニット１５０を備える。第二表示部１１０は、ピクチャー、ビデオなどを表示するために用いられ、その寸法は、第一表示部２２０の寸法より小さい。記憶ユニット１２０は、ピクチャー、ビデオなどのデータを記憶するために用いられる。第二通信ユニット１３０は、第一通信ユニット２１０と通信するために用いられ、ドッキングステーション２０からの制御指令を受信する。第二入力ユニット１４０は、ユーザーの操作に対応する制御指令を生成し、この制御指令は本機放送/表示指令、外部放送/表示指令及び遠隔操作指令を含む。第二処理ユニット１５０は、記憶ユニット１２０に記憶されたピクチャー、ビデオなどを読み取って解読してビデオ信号を形成し、且つドッキングステーション２０からの制御指令を受信して実行する。第二処理ユニット１５０は、第二入力ユニット１４０によって生成する制御指令も実行する。具体的に説明すると、第二処理ユニット１５０が本機放送/表示指令を受信すると、ビデオ信号を第二表示部１１０に表示し、第二処理ユニット１５０が外部放送/表示指令を受信すると、ビデオ信号を第二通信ユニット１３０によってドッキングステーション２０に伝送して第一表示部２２０に表示するか又はプロジェクター２３０によって映し出す。第二処理ユニット１５０が遠隔操作指令を受信すると、遠隔操作指令を第一処理ユニット２４０が識別及び実行できる操作指令に変換し、且つ第二通信ユニット１３０によってドッキングステーション２０に伝送して、ドッキングステーション２０に対する遠隔制御を実現する。
【００１９】
ドッキングステーション２０によって、電子装置１０が生成したビデオ信号を寸法が大きい第一表示部２２０又はプロジェクター２３０に拡大して表示するので、多くの人が同時に閲覧することができる。第一入力ユニット２６０の寸法が第二入力ユニット１４０の寸法より大きいので、ユーザーは第一入力ユニット２６０によって便利に入力して電子装置１０を制御することができる。
【００２０】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２１】
１０  電子装置
２０  ドッキングステーション
１０１  充電ソケット
１１０  第二表示部
１２０  記憶ユニット
１３０  第二通信ユニット
１４０  第二入力ユニット
１５０  第二処理ユニット
２０１  本体
２０２  収容部
２０３  インターフェース
２１０  第一通信ユニット
２２０  第一表示部
２３０  プロジェクター
２４０  第一処理ユニット
２５０  選択ユニット
２６０  第一入力ユニット
２７０  検出ユニット
【図１】
2014032664.tif 000003
【図２】
2014032664.tif 000004
【図３】
2014032664.tif 000005